(57)【要約】      （修正有）【課題】シート状商品見本の一部のみを保持した場合にも自立して展示することが可能なシート状商品見本を備えた自動販売機を提供する。【解決手段】前面が開放した断熱筐体として形成された本体キャビネットと、本体キャビネットの前面に開閉可能に支持された外扉とを備え、外扉の前面の透明板と外扉に開閉可能に支持された中扉との間に形成された商品展示室内に、本体キャビネットの庫内に収納した商品に対応した複数の商品見本８０を展示してなる自動販売機であって、フラットなシートに商品の意匠（模様）が施されたシート状商品見本８１を、当該シートの一端を前方側に凸となるように湾曲させることにより起立姿勢に自立させて展示可能とする。【選択図】図１
2014115941.tif 000002
【特許請求の範囲】
【請求項１】
本体キャビネットの前面を開閉する外扉に形成された商品展示室内に商品見本を展示してなる自動販売機において、フラットな面に商品の意匠（模様）が施され、当該シートの一端を前方側に凸となるように湾曲させることにより起立姿勢に自立させてなるシート状商品見本を備えたことを特徴とする自動販売機。
【請求項２】
請求項１に記載の自動販売機において、シート状商品見本は可撓性の薄いプラスチックシートに商品の外観意匠を印刷した矩形平板状の透明若しくは半透明のシートからなることを特徴とする自動販売機。
【請求項３】
請求項１に記載の自動販売機において、商品展示室内に配設された左右方向に複数の商品見本を展示する商品展示台と、前記商品展示台上に展示された複数の商品見本に対応して少なくとも商品価格を表示する液晶表示部を有すると共に当該液晶表示部の前面に位置して前記液晶表示部を保護する横長帯状の透明なカバー部材を装備してなり、かつ、前記商品展示台の前面に設置された商品情報デジタルディスプレイとを備え、前記シート状商品見本は下端近傍の両側縁に係止片を一体成形してなり、当該係止片を前記商品情報デジタルディスプレイのカバー部材よりも背面側に係止させてなることを特徴とする自動販売機。
【請求項４】
請求項３に記載の自動販売機において、前記商品情報デジタルディスプレイは液晶表示部を内蔵するデジタル表示ユニットの前面に化粧枠を介してカバー部材が配備されてなり、当該化粧枠の頭部にシート状商品見本の係止片が係合する係合穴を形成してなることを特徴とする自動販売機。
【請求項５】
請求項１に記載の自動販売機において、前記シート状商品見本を自立して展示する商品見本展示用アタッチメントを備えたことを特徴する自動販売機。
【請求項６】
請求項５に記載の自動販売機において、前記商品見本展示用アタッチメントを商品情報デジタルディスプレイに取り付けたうえで当該商品見本展示用アタッチメントに前記シート状商品見本を装着してなることを特徴とする自動販売機。
【請求項７】
請求項６に記載の自動販売機において、商品見本展示用アタッチメントは横長帯状の透明なカバー部および当該カバー部の上部に連ねて形成され、かつ、左右方向に延在する塀状のレール部からなる一方、シート状商品見本は下部に上下方向に延在するとともに下方に開放した少なくとも二つのスリットを備えてなり、前記商品見本展示用アタッチメントのカバー部を商品情報デジタルディスプレイの前面に装着して商品見本展示用アタッチメントを前記商品情報デジタルディスプレイに取り付けたうえで、当該商品見本展示用アタッチメントのレール部にシート状商品見本のスリットを差し込んでシート状商品見本を湾曲させて自立させたことを特徴とする自動販売機。
【請求項８】
請求項５に記載の自動販売機において、前記商品見本展示用アタッチメントを商品展示室の透明板の前面に配設された商品選択ボタン装置に取り付けたうえで当該商品見本展示用アタッチメントに前記シート状商品見本を装着してなることを特徴とする自動販売機。
【請求項９】
請求項８に記載の自動販売機置において、商品選択ボタン装置は前記商品展示室の透明板の背面側に配設されるとともに上部フランジと下部フランジを有する略Ｃ字状の取付金具により前記透明板の前面に固着されてなり、商品見本展示用アタッチメントは横長帯状の透明なカバー部および当該カバー部の上部に連ねて形成されるとともに湾曲した一条の保持溝を有する複数の保持部を備えてなり、前記商品見本展示用アタッチメントを前記商品選択ボタン装置の取付金具に係止固定し、前記商品見本展示用アタッチメントの保持部における保持溝にシート状商品見本を装着してなることを特徴とする自動販売機。
【請求項１０】
請求項１に記載の自動販売機において、商品展示室内に配設された左右方向に複数の商品見本を展示する商品展示台にシート状商品見本を装着する保持部を形成したことを特徴とする自動販売機。
【請求項１１】
請求項１０に記載の自動販売機において、シート状商品見本を装着する保持部は前方に凸に湾曲した保持溝であることを特徴とする自動販売機。
【請求項１２】
本体キャビネットの前面を開閉する外扉に形成された商品展示室内に商品見本を展示してなる自動販売機において、商品展示室内に配設された左右方向に複数の商品見本を展示する商品展示台と、前記商品展示台上に展示された複数の商品見本に対応して少なくとも商品価格を表示する液晶表示部を有すると共に当該液晶表示部の前面に位置して前記液晶表示部を保護する横長帯状の透明なカバー部材を装備してなり、かつ、前記商品展示台の前面に設置された商品情報デジタルディスプレイとを備え、前記シート状商品見本を前記商品情報デジタルディスプレイの前面に装備された横長帯状の透明なカバー部材の内側に差し込んで自立させてなることを特徴とする自動販売機。
【発明の詳細な説明】
【技術分野】
【０００１】
この発明は、自動販売機における本体キャビネットの庫内に缶入り飲料，ペットボトル入り飲料などの商品をコールド，ホット状態に区分して保存し、外扉の商品展示室内に設置した商品展示台上に複数の商品見本を左右に並べて展示した自動販売機に関するものである。
【背景技術】
【０００２】
この種の従来の自動販売機について図１１を用いて説明する。図１１は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室には商品を横倒し状態で収納するとともに下端部に商品搬出装置を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００３】
外扉２０の前面の上部域は透明板４０で覆われ、この透明板４０と外扉２０に開閉可能に支持された中扉６０との間の空間が商品展示室５０として形成されている。前記中扉６０の前面には、本体キャビネット１０の庫内に収納した商品に対応した複数の立体状の商品見本８０を左右に一列に並べて載置した商品展示台７０が上下方向に３段並べて取付けられている。前記透明板４０には、各商品展示台７０と対峙する位置に商品選択ボタンユニット９０が設けられ、商品選択ボタンユニット９０は、商品展示台７０に展示された各商品見本８０に対応して左右に一列に並べて設けた商品選択ボタン（不図示）を有している。さらに、外扉２０の前面には、硬貨識別装置２０１に連通する硬貨投入口、紙幣識別装置２０２に連通する紙幣挿入口、硬貨返却口、返却レバーおよびロック付ハンドル、商品取出口２０３などが設けられている。
【０００４】
前記商品展示台７０は、周知であるので詳細な図示は省略するが、中扉６０に固定された左右一対の固定部材とこの左右一対の固定部材に着脱自在に装着される商品載置台からなる。前記商品載置台は、縦断面略コ字形で下方が開放した横長箱状体の内部に蛍光灯，ＬＥＤユニットなどの照明光源が設けられ、その上面壁には商品見本８０を嵌合保持する係合穴が左右方向に複数並設されている。また、商品載置台の前面壁には各商品見本８０に対応する商品のコールド，ホット状態を表す冷温情報（例えば、コールドの場合には寒色である青色、ホットの場合には暖色である赤色）を表示する冷温表示板および商品の価格情報を表示する価格表示板が装着される。なお、前記冷温表示板，価格表示板に替えて液晶ディスプレイ（ＬＣＤ）を備えた商品情報デジタルディスプレイを用いて冷温表示を行うとともに価格表示を行うものも知られている。
【０００５】
前記商品見本８０は光透過材料により形成された中空状の本体の底面に光導入部を設け、前記光導入部から本体の内部に光を導入して本体を内側から照明するように構成されている。前記商品見本８０は前記商品展示台７０に形成した係合穴に嵌合保持されて展示される。商品展示台７０に展示された商品見本８０は前記商品展示台７０の内部に設けた照明光源からの光が商品展示台７０の係合穴と商品見本８０の底部に形成した光導入部とを通して中空状の本体の内部に照射されることにより、商品見本８０が恰も発光しているように展示される。前記商品見本８０は立体、具体的には、缶，瓶，ペットボトルなどの容器形状に一致させた中空状の本体を備えた商品見本や、前記中空状の本体を半分に切断した半割り状の商品見本などが商品展示台に形成した開口部に嵌合保持するようにされている（例えば、特許文献１）。
【先行技術文献】
【特許文献】
【０００６】
【特許文献１】特開２００３−２１７０１３号公報
【発明の概要】
【発明が解決しようとする課題】
【０００７】
ところで、特許文献１にも示された立体状の商品見本は中空状に構成されていることから材料費が嵩み、自動販売機の商品展示室には多数の商品見本が展示されることか自動販売機のコストが上昇する。そこで、プラスチックシートに商品の外観意匠を印刷した安価なシート状商品見本を展示することが考えられる。ところが、シート状商品見本は立体状の商品見本のように商品展示台の開口部に直接嵌合させることが困難である。このため、シート状商品見本を保持するとともに商品展示台の開口部と係合する係合部を備えた商品見本展示用アタッチメントを設け、この商品見本展示用アタッチメントの台座部に直線状の溝を形成し、この溝にシート状商品見本の下端を差し込むように構成することが考えられる。しかしながら、溝幅がシート状商品見本の厚み（幅）よりも大きい場合にはシート状商品見本が鉛直線に沿った起立姿勢を保つことができずに折れ曲がるおそれがある一方、シート状商品見本が鉛直線に沿った起立姿勢を保つように、溝幅をシート状商品見本の厚み（幅）に近似した値とした場合にはシート状商品見本の溝への差し込みが困難となるという課題を有する。
【０００８】
そこで、本発明は上記の点に鑑みなされたものであり、その目的は前記課題を解決し、シート状商品見本の一部のみを保持した場合にも自立して展示することが可能なシート状商品見本を備えた自動販売機を提供することにある。
【課題を解決するための手段】
【０００９】
上記目的を達成するため請求項１に係る発明は、本体キャビネットの前面を開閉する外扉に形成された商品展示室内に商品見本を展示してなる自動販売機の商品見本展示装置において、フラットなシートに商品の意匠（模様）が施され、当該シートの一端を前方側に凸となるように湾曲させることにより起立姿勢に自立させてなるシート状商品見本を備えたことを特徴とする。
【００１０】
また、上記目的を達成するため請求項２に係る発明は、請求項１に記載の自動販売機の商品見本展示装置において、シート状商品見本は可撓性の薄いプラスチックシートに商品の外観意匠を印刷した矩形平板状の透明若しくは半透明のシートからなることを特徴とする。
【００１１】
また、上記目的を達成するため請求項３に係る発明は、請求項１に記載の自動販売機の商品見本展示装置において、商品展示室内に配設された左右方向に複数の商品見本を展示する商品展示台と、前記商品展示台上に展示された複数の商品見本に対応して少なくとも商品価格を表示する液晶表示部を有すると共に当該液晶表示部の前面に位置して前記液晶表示部を保護する横長帯状の透明なカバー部材を装備してなり、かつ、前記商品展示台の前面に設置された商品情報デジタルディスプレイとを備え、前記シート状商品見本は下端近傍の両側縁に係止片を一体成形してなり、当該係止片を前記商品情報デジタルディスプレイのカバー部材よりも背面側に係止させてなることを特徴とする。
【００１２】
また、上記目的を達成するため請求項４に係る発明は、請求項３に記載の自動販売機の商品見本展示装置において、前記商品情報デジタルディスプレイは液晶表示部を内蔵するデジタル表示ユニットの前面に化粧枠を介してカバー部材が配備されてなり、当該化粧枠の頭部にシート状商品見本の係止片が係合する係合穴を形成してなることを特徴とする。
【００１３】
また、上記目的を達成するため請求項５に係る発明は、請求項１に記載の自動販売機の商品見本展示装置において、前記シート状商品見本を自立して展示する商品見本展示用アタッチメントを備えたことを特徴する。
【００１４】
また、上記目的を達成するため請求項６に係る発明は、請求項５に記載の自動販売機の商品見本展示装置において、前記商品見本展示用アタッチメントを商品情報デジタルディスプレイに取り付けたうえで当該商品見本展示用アタッチメントに前記シート状商品見本を装着してなることを特徴とする。
【００１５】
また、上記目的を達成するため請求項７に係る発明は、請求項６に記載の自動販売機の商品見本展示装置において、商品見本展示用アタッチメントは横長帯状の透明なカバー部および当該カバー部の上部に連ねて形成され、かつ、左右方向に延在する塀状のレール部からなる一方、シート状商品見本は下部に上下方向に延在するとともに下方に開放した少なくとも二つのスリットを備えてなり、前記商品見本展示用アタッチメントのカバー部を商品情報デジタルディスプレイの前面に装着して商品見本展示用アタッチメントを前記商品情報デジタルディスプレイに取り付けたうえで、当該商品見本展示用アタッチメントのレール部にシート状商品見本のスリットを差し込んでシート状商品見本を湾曲させて自立させたことを特徴とする。
【００１６】
また、上記目的を達成するため請求項８に係る発明は、請求項５に記載の自動販売機の商品見本展示装置において、前記商品見本展示用アタッチメントを商品展示室の透明板の前面に配設された商品選択ボタン装置に取り付けたうえで当該商品見本展示用アタッチメントに前記シート状商品見本を装着してなることを特徴とする。
【００１７】
また、上記目的を達成するため請求項９に係る発明は、請求項８に記載の自動販売機の商品見本展示装置において、商品選択ボタン装置は前記商品展示室の透明板の背面側に配設されるとともに上部フランジと下部フランジを有する略Ｃ字状の取付金具により前記透明板の前面に固着されてなり、商品見本展示用アタッチメントは横長帯状の透明なカバー部および当該カバー部の上部に連ねて形成されるとともに湾曲した一条の保持溝を有する複数の保持部を備えてなり、前記商品見本展示用アタッチメントを前記商品選択ボタン装置の取付金具に係止固定し、前記商品見本展示用アタッチメントの保持部における保持溝にシート状商品見本を装着してなることを特徴とする。
【００１８】
また、上記目的を達成するため請求項１０に係る発明は、請求項１に記載の自動販売機において、商品展示室内に配設された左右方向に複数の商品見本を展示する商品展示台にシート状商品見本を装着する保持部を形成したことを特徴とする。
【００１９】
また、上記目的を達成するため請求項１１に係る発明は、請求項１０に記載の自動販売機において、シート状商品見本を装着する保持部は前方に凸に湾曲した保持溝であることを特徴とする。
【００２０】
また、上記目的を達成するため請求項１２に係る発明は、本体キャビネットの前面を開閉する外扉に形成された商品展示室内に商品見本を展示してなる自動販売機の商品見本展示装置において、商品展示室内に配設された左右方向に複数の商品見本を展示する商品展示台と、前記商品展示台上に展示された複数の商品見本に対応して少なくとも商品価格を表示する液晶表示部を有すると共に当該液晶表示部の前面に位置して前記液晶表示部を保護する横長帯状の透明なカバー部材を装備してなり、かつ、前記商品展示台の前面に設置された商品情報デジタルディスプレイとを備え、前記シート状商品見本を前記商品情報デジタルディスプレイの前面に装備された横長帯状の透明なカバー部材の内側に差し込んで自立させてなることを特徴とする。
【発明の効果】
【００２１】
本発明によれば、本体キャビネットの前面を開閉する外扉に形成された商品展示室内に商品見本を展示してなる自動販売機の商品見本展示装置において、フラットなシートに商品の意匠（模様）が施され、当該シートの一端を前方側に凸となるように湾曲させることにより起立姿勢に自立させてなるシート状商品見本を備えたことにより、簡単な構成によりシート状商品見本を展示した自動販売機を提供することができる。
【図面の簡単な説明】
【００２２】
【図１】本発明の実施の形態１に係る自動販売機の商品見本展示装置を示し、（ａ）は商品展示台の要部斜視図、（ｂ）はシート状商品見本の斜視図、（ｃ）は（ａ）におけるＡ部の平面図である。
【図２】図１に示した商品展示台を示し、（ａ）は商品展示台の分解斜視図、（ｂ）は（ａ）の右端側の拡大斜視図である。
【図３】本発明の実施の形態２に係る自動販売機の商品見本展示装置を示し、（ａ）は商品展示台の要部斜視図、（ｂ）はシート状商品見本の正面図である。
【図４】本発明の実施の形態３に係る自動販売機の商品見本展示装置を示し、（ａ）は商品展示台の要部斜視図、（ｂ）は商品展示用アタッチメントを分解した商品展示台の要部斜視図である。
【図５】商品展示用アタッチメントとシート状商品見本とを分解して示し、（ａ）はその斜視図、（ｂ）は取付け状態の側面図である。
【図６】本発明の実施の形態４に係る自動販売機の商品見本展示装置を示し、（ａ）は商品選択ボタン装置の要部斜視図、（ｂ）は（ａ）の背面斜視図である。
【図７】商品展示用アタッチメントを示し、（ａ）はその平面図、（ｂ）はその正面図である。
【図８】図６の（ｂ）の分解斜視図である。
【図９】図６の（ｂ）のＢ部の拡大図であり、（ａ）は取付け状態の斜視図、（ｂ）は（ａ）の分解斜視図である。
【図１０】本発明の実施の形態５に係る自動販売機の商品見本展示装置を示し、（ａ）は商品展示台の要部斜視図、（ｂ）は（ａ）の商品展示台を構成する商品載置台における一部を切欠いた斜視図である。
【図１１】本発明が対象とする自動販売機の一例を示す斜視図である。
【発明を実施するための形態】
【００２３】
以下、本発明の実施の形態に係る自動販売機、特に自動販売機の商品見本展示装置について添付図面を参照して説明する。なお、本発明の実施の形態に係る自動販売機が従来装置と相違する点は特に商品展示台の周辺であり、ここでは従来装置と相違する商品展示台の周辺について説明することとし、また、自動販売機の全体構成は図１１に示したものと同一であるので適宜図１１を参照しつつ説明を行う。
【００２４】
（実施の形態１）
図１は本発明の実施の形態１に係る自動販売機の商品見本展示装置を示し、図において１は商品展示台であり、この商品展示台１は鋼板製の固定部材２と商品載置台３とからなる。前記固定部材２は商品載置台３を支持する腕木としてのブラケット２１（図２参照）を有し、当該ブラケット２１が中扉６０（図１１参照）に係止固定されている。４は液晶ディスプレイ（ＬＣＤ）を備えた商品情報デジタルディスプレイであり、商品載置台３に載置された複数の商品見本８０若しくは後述するシート状商品見本８１に対応して当該商品見本８０のコールド，ホット状態を表す冷温表示および商品価格の価格表示を行う液晶表示部４１を備えている。５は左右方向に延在する鋼板製の取付金具であり、前記固定部材２にねじ止めされて商品情報デジタルディスプレイ４の下端を保持するものである。なお、商品情報デジタルディスプレイ４は液晶表示部４１に商品価格の価格表示を行うものとし、冷温表示については周知の冷温表示板を用いることもできるものである。
【００２５】
前記固定部材２は、図２に示すように左右のブラケット２１を天板２２により連結してなり、天板２２には複数の開口２２１が形成されるとともに天板２２の前縁には前方斜め上方に折り曲げられた係止片２２２が設けられている。前記固定部材２の左右のブラッケット２１は左右対称であるので、ここでは正面視右側のブラケット２１を代表として説明する。前記ブラッケット２１には上面に向けて開放した挿脱溝部２１ａが形成されるとともに前縁に商品情報デジタルディスプレイ４を係止する係止部２１ｂ、およびねじＳが螺合するねじ穴２１ｃが形成されている。前記ブラケット２１の後縁には内方に向けて折り曲げられた後壁２３（図２の（ａ）参照）が形成され、この後壁２３に切起しにより係止片２３１が形成されている。この係止片２３１を中扉６０（図１１参照）に設けた係止穴に嵌合させることにより固定部材２が中扉６０に係止固定される。
【００２６】
前記商品載置台３は、図２に示すように、上面壁３１の両端から下方に延在された左右側壁３２を備えてなり、上面壁３１には商品見本８０を嵌合保持する係合穴３１１が左右方向に複数並設されている。前記商品載置台３の左右側壁３２は左右対称であるので、ここでは正面視右側の側壁３２を代表として説明する。前記側壁３２には、前方斜め下方向に開放した切欠３３が形成されている。また、前記側壁３２には内側に向けて切起した当接片３４が形成されている。
【００２７】
前記商品情報デジタルディスプレイ４は、図２に示すように、液晶表示部４１が実装された回路基板を内蔵する横長のデジタル表示ユニット４２の前面に白色塗装が施された化粧枠４３を組付けてなるものである。前記化粧枠４３には液晶表示部４１に対応する箇所に窓４３１が形成されており、化粧枠４３の上端部（頭部）は後方斜め下方に向けて傾斜した係合片４３２が形成されている。この係合片４３２は固定部材２の天板２２に形成された係止片２２２に係合するものである。なお、図２の（ｂ）に示すように、化粧枠４３の前面から側方寄りには切り起こしにより係止爪４３３が形成されている。図示は省略したが、化粧枠４３の左端側にも前記係止爪４３３と向う合うように係止爪が切り起こしにより形成されているものである。これらの係止爪４３３により化粧枠４３の前面に配備された横長帯状の透明なカバー部材４４が保持されているものである。前記透明なカバー部材４４は、デジタル表示ユニット４２の液晶表示部４１を保護するものである。
【００２８】
前記取付金具５は縦断面が略Ｌ字形に形成された鋼板製になり、白色塗装が施されている。また、前記取付金具５の前面側の板面（Ｌ字形における長辺側の板面）には階段状の段差部５１（図２の（ｂ）参照）が形成されているとともにねじＳが挿通するねじ挿通穴５２が穿孔されている。
【００２９】
次に、商品展示台１の組立てについて説明すると、まず、左右一対の固定部材２を中扉６０（図１１参照）に取付ける。この固定部材２の中扉６０への取付けは、左右ブラケット２１の後壁２３に切起しにより形成された係止片２３１を中扉６０の所定位置に穿孔した係合穴に嵌合させることにより固定部材２が中扉６０に固着される。次いで、中扉６０に固着された固定部材２の左右ブラケット２１に対して商品載置台３を、固定部材２の上方から被せるように装着する。この場合、商品載置台３の左右側壁３２に内側に向けて切起した当接片３４を左右ブラケット２１の挿脱溝部２１ａに対峙させた上で、商品載置台３を固定部材２に被せる。そして、商品載置台３の上面壁３１が固定部材２の天板２２に当接すると、商品載置台３の左右側壁３２の当接片３４が左右ブラケット２１の挿脱溝部２１ａに嵌合した状態で固定部材２にセットされる。ここで、商品載置台３の左右側壁３２に内側に向けて切起した当接片３４が固定部材２の挿脱溝部２１ａに嵌合しているので、商品載置台３の前後方向への移動が規制される。
【００３０】
次いで、前記商品情報デジタルディスプレイ４を中扉６０（図１１参照）に固着された前記固定部材２に次のように組付ける。すなわち、商品情報デジタルディスプレイ４の背面を固定部材２の左右ブラケット２１の前縁に当接させ、その際、商品情報デジタルディスプレイ４の下面を左右ブラケット２１の係止部２１ｂの上方に位置させた上で、商品情報デジタルディスプレイ４を左右ブラケット２１の前縁に沿わせた状態で商品情報デジタルディスプレイ４の下面が左右ブラケット２１の係止部２１ｂに当接するまで下方にスライドさせる。前記商品情報デジタルディスプレイ４の下面が前記係止部２１ｂに当接すると商品情報デジタルディスプレイ４が固定部材２に位置決めされるとともに前記商品情報デジタルディスプレイ４における化粧枠４３の係合片４３２が固定部材２の天板２２の前縁に形成した係止片２２２に係合する。この状態で取付金具５を、その段差部５１が商品情報デジタルディスプレイ４の下面に沿うように配設し、ねじＳにより左右ブラケット２１にねじ止めする。これにより、商品情報デジタルディスプレイ４が固定部材２に固定される。なお、前記固定部材２の左右ブラケット２１の外扉６０（図１１参照）への固着位置を適宜定めることにより、商品情報デジタルディスプレイ４の左右端部は、当該左右ブラケット２１よりも外側に突出しているものである。
【００３１】
前述したように固定部材２に商品載置台３をセットするとともに固定部材２に商品情報デジタルディスプレイ４を取付けた商品展示台１には、図１に示すように、商品載置台３に載置された立体状の商品見本８０とシート状商品見本８１が起立姿勢で展示している。シート状商品見本８１は可撓性の薄いプラスチックシートに商品の外観意匠を印刷した矩形平板状の透明若しくは半透明のシートからなるものである。このシート状商品見本８１は前記商品情報デジタルディスプレイ４を利用して商品展示台１に取り付けられるが、これについては後述する。そして、商品展示台１の前面に位置する商品情報デジタルディスプレイ４における各液晶表示部４１にそれぞれの商品見本８０，８１のコールド，ホット状態を表す冷温情報および商品の価格情報が表示される。なお、商品情報デジタルディスプレイ４の下端を保持する取付金具５は、図１１に示した商品展示室５０の前面の透明板４０に設けられた商品選択ボタンユニット９０の背後に位置しており、自動販売機の正面からは商品選択ボタンユニット９０に隠れて見えないようになっている。
【００３２】
さて、シート状商品見本８１は、図１の（ｂ）に示すように、可撓性の薄いプラスチックシートに商品の外観意匠を印刷した矩形平板状の透明若しくは半透明のシートからなり、その下端近傍の左右側縁には切り込みにより略Ｌ字状の係止片８１１，８１１が一体成形されている。シート状商品見本８１の係止片８１１，８１１より上方の領域には商品の外観意匠が印刷され、前記係止片８１１，８１１より下方の領域は透明に形成されている。一方、商品情報デジタルディスプレイ４の化粧枠４３の上端部（頭部）には、図１の（ｃ）に示すように、シート状商品見本８１が装着される箇所には左右対称の係合穴４３３，４３３が形成されている。図１の（ｃ）においては図面下方側が自動販売機の前面側である。左右一対の係合穴４３３，４３３は細幅スリットと太幅スリットとの組み合わせからなり、細幅スリットが向かい合うとともに逆ハの字状に傾斜して形成されている。係合穴４３３，４３３の長さはシート状商品見本８１の係止片８１１，８１１におけるＬ字状下辺の長さよりも長く定められ、太幅スリットの長さは係止片８１１，８１１におけるＬ字状脚片の幅よりも大きく定められている。
【００３３】
次に、シート状商品見本８１は前記商品情報デジタルディスプレイ４を利用して次のように商品展示台１に取り付けられる。すなわち、前記商品情報デジタルディスプレイ４は、図２で説明したように、デジタル表示ユニット４２の前面に白色塗装が施された化粧枠４３が組付けられ、さらに、化粧枠４３の前面に横長帯状の透明なカバー部材４４が組付けられている。そこで、前記シート状商品見本８１の下端部を商品情報デジタルディスプレイ４のカバー部材４４の内側に差し込。シート状商品見本８１の下端部をカバー部材４４の内側に差し込んで行くとシート状商品見本８１の係止片８１１，８１１が化粧枠４３の頭部に徐々に接近するので、その係止片８１１，８１１が化粧枠４３の頭部に接近した段階で、当該係止片８１１，８１１の自由端側を後方に撓ませて化粧枠４３の頭部に形成した係合穴４３３，４３３に差し込む。前記係止片８１１，８１１におけるＬ字状下辺が係合穴４３３，４３３に貫通した状態で、係止片８１１，８１１から手を離すと当該係止片８１１，８１１が復元力により前方に移動し、係止片８１１，８１１におけるＬ字状脚片が係合穴４３３，４３３の太幅スリットに係合し、かつ、係止片８１１，８１１におけるＬ字状下辺が係合穴４３３，４３３の細幅スリットの前方側に移動、つまり、化粧枠４３の頭部裏面側に潜り込んで係止される。これによりシート状商品見本８２の商品情報デジタルディスプレイ４のカバー部材４４内側への装着が完了する。
【００３４】
この実施の形態１においては、シート状商品見本８１が商品情報デジタルディスプレイ４に装着された状態においては、シート状商品見本８１の左右両端が係止片８１１，８１１により後方に引っ張られて前方側に凸となるように湾曲している。したがって、薄いプラスチックシートからなるシート状商品見本８１の剛性を高めることができるので、シート状商品見本８１を起立姿勢に自立させることが可能となる。
【００３５】
ここで、前記シート状商品見本８１には切欠８１２（図１の（ａ）参照）が設けられている。この切欠８１２について次に説明する。前述したような矩形平板状のシート状商品見本８１の下端を湾曲させた際、シート状商品見本８１の全体が湾曲してしまうことがある。そこで、シート状商品見本８１には左右側縁の下部側に切欠８１２を設けている。このように、切欠８１２を有するシート状商品見本８１の下端を湾曲させた場合、シート状商品見本８１の切欠８１２よりも下部側は湾曲（曲率の小さい湾曲）するが、前記切欠８１２によって下部側との繋がりが一部絶たれた切欠８１２よりも上部側の湾曲は下部側の湾曲に対して比較的小さくなる（曲率の大きな湾曲となる）。このように、切欠８１２を形成することによりシート状商品見本８１の湾曲を抑えることができる一方、切欠８１２よりも下部側は湾曲することから薄いプラスチックシートからなるシート状商品見本８１を安定して起立姿勢に維持することができる。なお、切欠８１２は角型に限らず円弧形状とすることもでき、さらに、切欠８１２に代えて切り込みを入れることもできるものである。
【００３６】
前述したように実施の形態１の自動販売機によれば、本体キャビネット１０（図１１参照）の前面を開閉する外扉２０に形成された商品展示室５０内に複数の商品見本８０を展示してなる自動販売機において、フラットな面に商品の意匠（模様）が施され、当該シートの一端を前方側に凸となるように湾曲させることにより起立姿勢に自立させてなるシート状商品見本８１を備えた自動販売機の商品見本展示装置を提供することができる。そして、立体状の商品見本８０を展示する商品展示台１に追加部品を設けることなくシート状商品見本８１を展示することができるので、立体状の商品見本８０とシート状商品見本８１を一つの商品展示台に混合して展示することもできる。
【００３７】
また、実施の形態１においては、前記シート状商品見本８１は下端近傍の両側縁に係止片８１１，８１１を一体成形してなり、当該係止片８１１，８１１を前記商品情報デジタルディスプレイ４のカバー部材４４よりも背面側に係止させてなることによりシート状商品見本８１は係止片８１１，８１１によって左右側縁が後方に引っ張られて左右方向に湾曲するので、その剛性を高めることができ、これによりシート状商品見本８１の自立を安定して維持することができる。
【００３８】
さらに、実施の形態１においては、前記商品情報デジタルディスプレイ４は液晶表示部４１を内蔵するデジタル表示ユニット４２の前面に化粧枠４３を介してカバー部材４４が配備されてなり、当該化粧枠４３の頭部にシート状商品見本８１の係止片８１１，８１１が係合する係合穴４３３，４３３を形成してなることにより、僅かの設計変更によりシート状商品見本８１の剛性を高めて自立させることが可能となる。
【００３９】
（実施の形態２）
次に本発明の実施の形態２に係る自動販売機の商品見本展示装置について図３を用いて説明する。この実施の形態２に係る自動販売機の商品見本展示装置が実施の形態１と相違する点はシート状商品見本８２であり、その他の構成は実施の形態１と同一であるので、同一のものには同一の符号を付して詳細な説明を省略する。なお、商品展示台１、および商品情報デジタルディスプレイ４の構成については図２に示すものと同一であるので、適宜図２を参照し、また、自動販売機の全体構成は図１１に示したものと同一であるので適宜図１１を参照しつつ説明を行う。
【００４０】
図３において、１で再び商品展示台を示し、この商品展示台１は鋼板製の固定部材２と商品載置台３とからなる。前記固定部材２は商品載置台３を支持する腕木としてのブラケット２１（図２参照）を有し、当該ブラケット２１が中扉６０（図１１参照）に係止固定されている。４は液晶ディスプレイ（ＬＣＤ）を備えた商品情報デジタルディスプレイであり、商品載置台３に載置された複数の商品見本８０若しくは後述するシート状商品見本８１に対応して当該商品見本８０のコールド，ホット状態を表す冷温表示および商品価格の価格表示を行う液晶表示部４１を備えている。５は左右方向に延在する鋼板製の取付金具であり、前記固定部材２にねじ止めされて商品情報デジタルディスプレイ４の下端を保持するものである。
【００４１】
さて、この実施の形態２に係るシート状商品見本８２は、図３の（ｂ）に示すように、可撓性の薄いプラスチックシートに商品の外観意匠を印刷した矩形平板状の透明若しくは半透明のシートからなり、その下端側の左右両端に張出し部８２１，８２１が形成されている。シート状商品見本８１の張出し部８２１，８２１より上方の領域には商品の外観意匠が印刷され、前記張出し部８２１，８２１の領域は透明に形成されている。
【００４２】
前記シート状商品見本８２は前記商品情報デジタルディスプレイ４を利用して次のように商品展示台１に取り付けられる。すなわち、前記商品情報デジタルディスプレイ４は、図２で説明したように、デジタル表示ユニット４２の前面に白色塗装が施された化粧枠４３が組付けられ、さらに、化粧枠４３の前面に横長帯状の透明なカバー部材４４が組付けられている。この実施の形態２では前記透明なカバー部材４４に着目し、この透明なカバー部材４４の内側にシート状商品見本８２の張出し部８２１，８２１を差し込んで自立させたものである。この場合、カバー部材４４が可撓性を有することから当該カバー部材４４の内側に差し込まれたシート状商品見本８２は張出し部８２１，８２１が化粧枠４３とカバー部材４４に挟着、つまり、両者に密着した状態で保持され、これによって薄いプラスチックシートからなるものであっても起立姿勢に自立させることができる。なお、シート状商品見本８２の張出し部８２１，８２１は、図３の（ａ）に示すように、左右に隣接するシート状商品見本８２の張出し部８２１，８２１を当接させることにより両者の間に隙間を形成させるものである。
【００４３】
前述したように実施の形態２の自動販売機によれば、本体キャビネット１０（図１１参照）の前面を開閉する外扉２０に形成された商品展示室５０内に商品見本８０を展示してなる自動販売機において、商品展示室５０内に配設された左右方向に複数の商品見本８０を展示する商品展示台１と、前記商品展示台１上に展示された複数の商品見本８０に対応して少なくとも商品価格を表示する液晶表示部４１を有すると共に当該液晶表示部４１の前面に位置して前記液晶表示部４１を保護する横長帯状の透明なカバー部材４４を装備してなり、かつ、前記商品展示台１の前面に設置された商品情報デジタルディスプレイ４とを備え、シート状商品見本８２を前記商品情報デジタルディスプレイ４の前面に装備された横長帯状の透明なカバー部材４４の内側に差し込んで自立させてなることにより、透明なカバー部材４４によってシート状商品見本８２が強固に固着されるので、薄いプラスチックシートからなるシート状商品見本８２を起立姿勢に自立させることが可能となる。そして、立体状の商品見本８０を展示する商品展示台１に追加部品を設けることなくシート状商品見本８２を展示することができるので、立体状の商品見本８０とシート状商品見本８２を一つの商品展示台１に混合して展示することもできる。
【００４４】
なお、前記実施の形態１，２ではシート状商品見本８１，８２と立体状の商品見本８０とを一つの商品展示台１に混合して展示することについて説明したが、立体状の商品見本８０の前面にシート状商品見本８１，８２と同様な装着方法で広告シートを装着することもできる。この場合、広告シートはシート状商品見本８１，８２と同様に可撓性の薄い透明なプラスチックシートからなり、「新発売」などの広告を表示したものである。したがって、シート状商品見本８１，８２に加えて広告シートをも含むものであり、前述した実施の形態によりこの発明が限定されるものではない。
【００４５】
（実施の形態３）
次に本発明の実施の形態３に係る自動販売機の商品見本展示装置について図４および図５を用いて説明する。この実施の形態３に係る自動販売機の商品見本展示装置が実施の形態１と相違する点は商品情報デジタルディスプレイ４に取付けられた商品見本展示用アタッチメント６およびシート状商品見本８３であり、その他の構成は実施の形態１と同一であるので、同一のものには同一の符号を付して説明を省略する。なお、商品展示台１、および商品情報デジタルディスプレイ４の構成については図２に示すものと同一であるので、適宜図２を参照し、また、自動販売機の全体構成は図１１に示したものと同一であるので適宜図４を参照しつつ説明を行う。
【００４６】
図４において、１で再び商品展示台を示し、この商品展示台１は、鋼板製の固定部材２と商品載置台３とからなる。前記固定部材２は商品載置台３を支持する腕木としてのブラケット２１（図２参照）を有し、当該ブラケット２１が中扉６０（図１１参照）に係止固定されている。４は液晶ディスプレイ（ＬＣＤ）を備えた商品情報デジタルディスプレイであり、商品載置台３に載置された複数の商品見本８０若しくは後述するシート状商品見本８１に対応して当該商品見本８０のコールド，ホット状態を表す冷温表示および商品価格の価格表示を行う液晶表示部４１を備えている。５は左右方向に延在する鋼板製の取付金具であり、前記固定部材２にねじ止めされて商品情報デジタルディスプレイ４の下端を保持するものである。
【００４７】
さて、シート状商品見本８３を起立姿勢で展示するための商品見本展示用アタッチメント６について図４および図５を用いて説明する。前記商品見本展示用アタッチメント６は、商品情報デジタルディスプレイ４の前面に配備された横長帯状の透明なカバー部材４４に相当する大きさを有するカバー部６１および当該カバー部６１の上部に連ねて形成されたレール部６２からなる透明なプラスチック成形品である。前記カバー部６１は、商品情報デジタルディスプレイ４の化粧枠４３に形成された左右の係止爪４３３の間の間隔に相当する横幅を有する横長帯状に形成されている。前記カバー部６１の上部に連ねて形成されたレール部６２は、カバー部６１の上端から前方に突出する庇部６１０（図５の（ｂ）参照）の略中央から上側に突出し、左右方向に延在する塀状に形成されている。レール部６２の前面には差し込み溝６１１が形成されている。この差し込み溝６１１には次に示すシート状商品見本８３が差し込まれるものである。
【００４８】
前記シート状商品見本８３は、可撓性の薄いプラスチックシートに商品の外観意匠を印刷した矩形平板状の透明若しくは半透明のシートからなるものである。このシート状商品見本８３の下部には、図５の（ａ）に示すように、上下方向に延在するとともに下方に開放した少なくとも二つのスリット８３０，８３０が設けられている。この二つのスリット８３０，８３０によりシート状商品見本８３の下部は、左右のスリット８１０、８１０に挟まれた下端中央部８３Ａと、左右のスリット８１０、８１０の外側の下端両端部８３Ｂ，８３Ｂに区分されている。前記スリット８３０、８３０の深さは前記商品見本展示用アタッチメント６のレール部６２の高さよりも長い寸法に定められている。また、シート状商品見本８３の左右側縁の下端寄りには切欠８３１，８３１がそれぞれ設けられている。
【００４９】
次に、前記商品見本展示用アタッチメント６の商品展示台１への取付け、およびシート状商品見本８３の商品見本展示用アタッチメント６への取付けについて説明する。前記商品見本展示用アタッチメント６は、商品情報デジタルディスプレイ４の前面に配備された横長帯状の透明なカバー部材４４（図２参照）を取外したうえで、カバー部６１を化粧枠４３の前面に配備した後、化粧枠４３に形成された係止爪４３３により係止固定する。このように、商品展示台１に装着された商品見本展示用アタッチメント６のレール部６２にシート状商品見本８１が次のように取付けられる。すなわち、シート状商品見本８３の下部に設けたスリット８３０，８３０をレール部６２に差し込む。この場合、左右のスリット８３０、８３０は互い違いにレール部６２を跨ぐようにして差し込まれる。つまり、シート状商品見本８３における左右のスリット８３０、８３０に挟まれた下端中央部８３Ａがレール部６２の前面に位置する一方、左右のスリット８３０、８３０の外側の下端両端部８３Ｂ，８３Ｂがレール部６２の背面に位置するようにスリット８３０、８３０をレール部６２に差し込む。このように、左右のスリット８３０、８３０は互いに違いにレール部６２を跨ぐようにして差し込むと、シート状商品見本８３の下端中央部８３Ａがレール部６２の前面の前面に位置する一方、シート状商品見本８３の下端両端部８３Ｂ，８３Ｂがレール部６２の背面に位置することからシート状商品見本８３は平面から見て前方側に凸となるように湾曲するのでその剛性を高めることができる。そして、シート状商品見本８３の下端、すなわち、シート状商品見本８３の下端中央部８３Ａとシート状商品見本８３の下端両端部８３Ｂ，８３Ｂをそれぞれ差し込み溝６１１と庇部６１０の上面壁に当接させることにより薄いプラスチックシートからなるシート状商品見本８３を起立姿勢に自立ことが可能となる。このように、商品展示台１に取付けられた商品見本展示用アタッチメント６のレール部６２と商品載置台３の複数の係合穴３１１にシート状商品見本８１と立体状の商品見本８０を適宜取付けることにより、シート状商品見本８３と立体状の商品見本８０を同一の商品展示台１に並べて展示することができる。なお、シート状商品見本８３の下端中央部８３Ａを差し込み溝６１１に差し込むのは、自立したシート状商品見本８３が振動などにより前傾若しくは逆方向に傾くのを防止するためであるが、必ずしも必要なものではない。
【００５０】
ここで、前記シート状商品見本８３の左右側縁の下端寄りには切欠８３１（図５の（ａ）参照）が設けられている。この切欠８３１について次に説明する。前述したような矩形平板状のシート状商品見本８３の下端を湾曲させた際、シート状商品見本８３の全体が湾曲してしまうことがある。そこで、シート状商品見本８３には左右側縁の下部側に切欠８３１を設けている。このように、切欠８３１を有するシート状商品見本８３の下端を湾曲させる、つまり、左右のスリット８３０，８３０は互いに違いにレール部６２を跨ぐようにして差し込んだ場合、シート状商品見本８３の切欠８３１よりも下部側は湾曲（曲率の小さい湾曲）するが、前記切欠８３１によって下部側との繋がりが一部絶たれた切欠８３１よりも上部側の湾曲は下部側の湾曲に対して比較的小さくなる（曲率の大きな湾曲となる）。このように、切欠８３１を形成することによりシート状商品見本８３の湾曲を抑えることができる一方、切欠８３１よりも下部側は湾曲することから薄いプラスチックシートからなるシート状商品見本８３を安定して起立姿勢に維持することができる。なお、切欠８３１は角型に限らず円弧形状とすることもでき、さらに、切欠８３１に代えて切り込みを入れることもできるものである。
【００５１】
なお、前記実施の形態３ではシート状商品見本８３と立体状の商品見本８０とを一つの商品展示台１に混合して展示することについて説明したが、立体状の商品見本８０の前面に位置する商品見本展示用アタッチメント６の保持溝６２１に広告シートを装着することもできる。この場合、広告シートはシート状商品見本８３と同様に可撓性の薄い透明なプラスチックシートからなり、「新発売」などの広告を表示したものである。
【００５２】
また、前記実施の形態３においては、レール部６２前方を向く庇部６１０の上面に形成したについて説明したが、例えば、庇部６１０が後方を向くものであってもよく、また、カバー部６１の延長線上にレール部６２を形成したうえで、シート状商品見本８３の下端と当接する当接部を設けることもできる。したがって、レール部６２とはシート状商品見本８３のスリット８３０，８３０を差し込むことによりシート状商品見本８３を湾曲した状態で自立させるものを総称するものであり、前述した実施の形態３によりこの発明が限定されるものではない。
【００５３】
前述したように本発明の実施の形態３に係る自動販売機によれば、本体キャビネット１０（図１１参照）の前面を開閉する外扉２０に形成された商品展示室５０内に複数の商品見本８０を展示してなる自動販売機において、前記シート状商品見本８３を自立して展示する商品見本展示用アタッチメント６を備え、前記商品見本展示用アタッチメント６を商品情報デジタルディスプレイ４に取り付けたうえで当該商品見本展示用アタッチメント６に前記シート状商品見本８３を装着してなることにより、商品展示台１にシート状商品見本８３を自立して展示することができる。また、商品見本展示用アタッチメント６は横長帯状の透明なカバー部６１および当該カバー部６１の上部に連ねて形成され、かつ、左右方向に延在する塀状のレール部６２からなる一方、シート状商品見本８３は下部に上下方向に延在するとともに下方に開放した少なくとも二つのスリット８３０，８３０を備えてなり、前記商品見本展示用アタッチメント６のカバー部６１を商品情報デジタルディスプレイ４の前面に装着して商品見本展示用アタッチメント６を前記商品情報デジタルディスプレイ４に取り付けたうえで、当該商品見本展示用アタッチメント６のレール部にシート状商品見本８３のスリット８３０，８３０を差し込んでシート状商品見本８３を湾曲させて自立させたことにより、シート状商品見本８３を展示する商品見本展示用アタッチメント６を立体状の商品見本８０を展示する商品展示台１に追加装備することができるので、立体状の商品見本８０とシート状商品見本８３を一つの商品展示台１に混合して展示することもできる。また、前記商品見本展示用アタッチメント６のレール部６２にシート状商品見本８３のスリット８３０，８３０を差し込むことによりレール部６２を跨ぐスリット８３０，８３０によってシート状商品見本８３が左右方向に湾曲するので、その剛性を高めることができ、これによりシート状商品見本８３を起立姿勢に安定して維持することができる。
【００５４】
（実施の形態４）
次に本発明の実施の形態４に係る自動販売機の商品見本展示装置について図６乃至図９を用いて説明する。この実施の形態４に係る自動販売機の商品見本展示装置が実施の形態３と相違する点は商品見本展示用アタッチメント７およびこの商品見本展示用アタッチメント７を商品選択ボタン装置９０に取付けた点である。なお、自動販売機の全体構成は図１１に示したものと同一であるので適宜図１１を参照しつつ説明を行う。
【００５５】
図６において、９０で再び商品選択ボタン装置を示し、１００は商品選択ボタン装置９０の取付金具である。なお、図では透明板４０（図１１参照）を省略している。８４は可撓性の薄いプラスチックシートに商品の外観意匠を印刷した矩形平板状の透明若しくは半透明のシートからなるシート状商品見本である。このシート状商品見本８４は本発明に係る商品見本展示用アタッチメント７を介して商品選択ボタン装置９０の取付金具１００に取り付けられるが、これについては後述することとし、まず、商品選択ボタン装置９０および取付金具１００について説明する。なお、商品選択ボタン装置９０は実用新案登録第２６０５０１３号公報、取付金具１００は特開２００３−６７２２号公報などにより周知のものである。
【００５６】
前記商品選択ボタン装置９０は、前面カバー９１ａとベース基板（不図示）とを組合せ、かつ前面カバー９１ａに透明樹脂で作られた商品選択ボタン９１ｂを組み込んだ樹脂成形品としてなる断面半月状の釦ケース９１にプリント板（不図示）が内蔵されている。前記プリント板には商品選択ボタン９１ｂにより作動するスイッチ素子，販売可能表示用／売切表示用の発光ダイオード，入出力制御用ＩＣ，外部接続用端子などの各種部品が実装されている。前記プリント板の外部接続用端子はベース基板の背面側に引き出されてコネクタ９２（図６の（ｂ）参照）に接続されている。このコネクタ９２には、取付金具１００に沿って配線した制御信号伝送用ハーネスのカプラが接続される。また、釦ケース９１のベース基板には背面側に突出する複数のボスを備え、当該ボス内には取付けねじＳ１（図６の（ｂ）参照）が螺合するインサートナットが埋設されている。なお、前記コネクタ９２を囲繞するボスがベース基板の背面側に突出して形成されており、これらのボスが貫通する貫通穴が透明板４０（図１１参照）に形成されている。前記商品選択ボタン装置９０の取付金具１００は、上部フランジ１０１と下部フランジ１０２を有する略Ｃ字状に形成されており、前記ボスが貫通する穴（図６の（ｂ）ではコネクタ９２用の穴１０３が見えている）が形成され、前述したインサートナットに取付けねじＳ１を螺合させることにより前記商品選択ボタン装置９０を保持している。
【００５７】
前記取付金具１００の上フランジ１０１には、図９に拡大して示すように、本発明に係る商品見本展示用アタッチメント７を係止固定する係合穴１０１ａおよび係止穴１０１ｂが複数穿孔されている。
【００５８】
さて、シート状商品見本８４を起立姿勢で展示するための商品見本展示用アタッチメント７は横長帯状のカバー部７１および当該カバー部７１の上部に連ねて形成された保持部７２からなる透明なプラスチック成形品である。前記商品見本展示用アタッチメント７の横幅は、商品選択ボタン装置９０の横幅（つまり、図２に示した商品展示台１の横幅）をｎ分割（ｎ≧２以上の整数）した横幅を有する。前記横長帯状のカバー部７１の下端には複数の係合突起７１１およびフック状の係止突起７１２が形成されている。前記カバー部７１の上部に連ねて形成された保持部７２、この例では５個の保持部７２はそれぞれ前方側に凸の湾曲状に形成されており、その湾曲に沿ってそれぞれ一条の保持溝７２１（図７の（ａ）を参照）が形成されている。前記保持溝７２１は薄いシート状商品見本８４が挿入され、当該シート状商品見本８４を保持するものである。この薄いシート状商品見本８４を保持するために保持溝７２１の溝幅は微小間隙として形成せねばならない。しかしながら、微小間隙とした場合には薄いシート状商品見本８４を挿入する作業が煩雑となる。そこで、この実施の形態では、前記保持溝７２１の溝幅をシート状商品見本８４の幅よりも大きく形成する一方、その内壁に互い違いに噛み合う鋸歯７２２を形成し、互い違いに噛み合う鋸歯７２２の先端の間に微小間隙が生じるように構成している。なお、互い違いに噛み合う鋸歯７２２は一条の保持溝７２１に点在（左右両端と中央部）して形成した例を示しているが、保持溝７２１の全域に形成しても良いものである。この場合、対向する鋸歯７２２の断面が漏斗状となるように傾斜させることにより、シート状商品見本８４の挿入作業をより一層簡単なものとすることができる。
【００５９】
ここで、保持溝７２１に鋸歯状の突起７２２を点在して形成したことにより次のような付加的な利点を有する。すなわち、シート状表示部材８４が熱膨張率の高いアクリル樹脂などからなるには外気温により伸縮し、特に太陽光の直射によって著しく伸長した際にもそのシート状表示部材８４の熱膨張に伴う伸縮を許容するのでシート状表示部材８４が変形することがない。この場合、保持溝７２１における円弧両端部と円弧中央部の３点にそれぞれ形成された鋸歯状の突起７２２のうち、円弧中央部のみ、或いは円弧両端部の突起７２２のいずれか一方のみ（例えば、右端側の突起７２２）がシート状商品見本８４を把持し、残りの突起７２２についてシート状表示部材８４が起立姿勢を維持するように支えるものとするのが良い。このように、シート状表示部材８４の左右中央部のみ、或いは左右端部の一方のみを把持しておけば、シート状表示部材８４は左右方向、或いは左右他方方向に自由に伸縮することが可能となる。また、保持溝７２１の長さはシート状表示部材８４の伸縮を加味してシート状表示部材８４の横幅よりも長く形成されていることは言うまでもない。また、保持溝７２１に点在して形成された鋸歯状の突起７２２のうち、シート状表示部材８４を保持する部位の突起７２２に目印（例えば、矢印や凸記号）を付すとともにシート状表示部材８４の対応する箇所に目印（例えば、矢印や凹記号）を付し、当該目印を合致させてシート状表示部材８４を差し込むようにすることもできる。
【００６０】
次に、前記商品見本展示用アタッチメント７の取付金具１００への取付けについて図８および図９を参照しつつ説明する。前記商品見本展示用アタッチメント７は、カバー部７１の下端に形成された係合突起７１１および係止突起７１２を取付金具１００の上フランジ１０１に形成された係合穴１０１ａおよび係止穴１０１ｂに対峙させたうえで、係合突起７１１および係止突起７１２を係合穴１０１ａおよび係止穴１０１ｂに差し込む。この場合、可撓性を有する係止突起７１２は、先端に設けたフックが係止穴１０１ｂを通過する際に撓む。そして、前記フックが係止穴１０１ｂを貫通すると係止突起７１２が元の状態に復元してフックが上フランジ１０１に係合する。このように、カバー部７１の係合突起７１１および係止突起７１２を取付金具１００の上フランジ１０１に形成された係合穴１０１ａおよび係止穴１０１ｂに嵌合させることにより商品見本展示用アタッチメント７は取付金具１００に係止固定される。
【００６１】
このように、取付金具１００に装着された商品見本展示用アタッチメント７の保持部７２における保持溝７２１にはシート状商品見本８４が挿入される。この場合、シート状商品見本８４は下端の一部のみが保持溝７２１に挿入された状態で保持部７２に保持されることとなる。しかしながら、保持溝７２１が湾曲していることからシート状商品見本８４も保持溝７２１の湾曲に倣って横断面が前方側に凸となるように湾曲した状態で起立する。このように、シート状商品見本８４を湾曲させて保持することにより薄いプラスチックシートからなるシート状商品見本８４を安定した起立姿勢に維持することができる。なお、カバー部７１の背後にはシート状商品見本８４に対応する商品のコールド，ホット状態を表す冷温情報を表示する冷温表示板および商品の価格情報を表示する価格表示板を装着することができ、また、前記冷温表示板，価格表示板に替えて液晶ディスプレイ（ＬＣＤ）を備えた商品情報デジタルディスプレイを装着することもできるものである。
【００６２】
前記シート状商品見本８４の左右側縁の下端側には切欠８４１（図１の（ａ）参照）が設けられている。この切欠８４１については実施の携帯のシート状商品見本８１に形成した切欠８１２と同一の機能を有するものである。つまり、前記商品見本展示用アタッチメント７の保持溝７２１に挿入した場合、シート状商品見本８４の切欠８４１よりも下部側は保持溝７２１の湾曲に倣って湾曲（曲率の小さい湾曲）するが、前記切欠８４１によって下部側との繋がりが一部絶たれた切欠８４１よりも上部側の湾曲は下部側の湾曲に対して比較的小さくなる（曲率の大きな湾曲となる）。このように、切欠８４１を形成することによりシート状商品見本８４の湾曲を抑えることができる一方、切欠８４１よりも下部側は保持溝７２１の湾曲に倣って湾曲することから薄いプラスチックシートからなるシート状商品見本８４を安定して起立姿勢に維持することができる。
【００６３】
ここで、前記商品見本展示用アタッチメント７の横幅は、商品選択ボタン装置９０の横幅（つまり、図２に示した商品展示台１の横幅）をｎ分割（ｎ≧２以上の整数）されているが、これは、次の理由による。すなわち、自動販売機は商品収納数に応じて横幅が異なる複数種類の機種が用意されており、これに伴い機種ごとにディスプレイ室５０に展示される商品見本８０の数も異なる。図１１に示した自動販売機を例に説明すると、図１１に示す自動販売機では各段に１２個の商品見本８０を展示する機種が例示されているが、この他に各段に１０個の商品見本８０を展示する機種、各段に８個の商品見本８０を展示する機種などがある。この場合、各段に１２個の商品見本８０を展示する機種の横幅が大きく、各段に１０個の商品見本８０を展示する機種、各段に８個の商品見本８０を展示する機種の順に横幅が小さくなり、それぞれの機種に対応する横幅の商品見本展示用アタッチメント７を容易する場合には少なくとも３種類の商品見本展示用アタッチメント７が必要となる。そこで、商品見本展示用アタッチメント７の種類を低減するため、保持部７２１が６個並設された商品見本展示用アタッチメント（７Ａという）および保持部７２１が４個並設された商品見本展示用アタッチメント（７Ｂという）を用意し、各段に１２個の商品見本８０を展示する機種の自動販売機には２個の商品見本展示用アタッチメント７Ａを左右に並べて配置し、各段に１０個の商品見本８０を展示する機種の自動販売機には商品見本展示用アタッチメント７Ａと商品見本展示用アタッチメント７Ｂとを左右に並べて配置し、各段に８個の商品見本８０を展示する機種の自動販売機には２個の商品見本展示用アタッチメント７Ｂを左右に並べて配置するように構成している。このように、自動販売機の機種に応じて商品見本展示用アタッチメント７Ａ，７Ｂを適宜組み合わせることにより商品見本展示用アタッチメントの種類を削減することができるものである。
【００６４】
前述したように本発明の実施の形態４に係る自動販売機によれば、本体キャビネット１０（図１１参照）の前面を開閉する外扉２０に形成された商品展示室５０内に複数の商品見本８０を展示してなる自動販売機において、商品展示室５０の透明板４０の前面に配設された商品選択ボタン装置９０に商品見本展示用アタッチメント７を取付ける態様であって、商品選択ボタン装置９０は前記商品展示室５０の透明板４０の背面側に配設されるとともに上部フランジ１０１と下部フランジ１０２を有する略Ｃ字状の取付金具１００により前記透明板４０の前面に固着されてなり、商品見本展示用アタッチメント７は横長帯状の透明なカバー部７１および当該カバー部７１の上部に連ねて形成されるとともに湾曲した一条の保持溝７２１を有する複数の保持部７２を備えてなり、前記商品見本展示用アタッチメント７を前記商品選択ボタン装置９０の取付金具１００に係止固定し、前記商品見本展示用アタッチメント７の保持部７２における保持溝７２１にシート状商品見本８４を装着してなることにより、商品見本展示用アタッチメント７を追加装備するのみでシート状商品見本８４を展示することができる。さらに、前記商品見本展示用アタッチメント７の保持部７２に形成された湾曲した保持溝７２１に下端を保持されたシート状商品見本８４が保持溝７２１の湾曲に倣って湾曲するので、その剛性を高めることができ、シート状商品見本８４を自立した起立姿勢に維持することができる。
【００６５】
（実施の形態５）
次に本発明の実施の形態５に係る自動販売機の商品見本展示装置について図１０を用いて説明する。この実施の形態５に係る自動販売機の商品見本展示装置が実施の形態１に係る自動販売機の商品見本展示装置と相違する点は商品展示台１Ａにシート状商品見本８５を装着可能とした点である。なお、自動販売機の全体構成は図１１に示したものと同一であるので適宜図１１を参照しつつ説明を行う。
【００６６】
図１０において、１Ａは商品展示台であり、この商品展示台１Ａは商品展示台３Ａと、この商品展示台３Ａを固定する固定部材（図では商品載置台３Ａに隠れて見えない）とからなる。この商品展示台１Ａも図では商品載置台３Ａに隠れて見えない固定部材を介して中扉６０（図１１参照）に係止固定されている。前記商品展示台１Ａを構成する商品載置台３Ａのステージ３１には立体状の商品見本８０（図示の場合、中空状の本体を半分に切断した半割り状の商品見本を示す）を嵌合保持する係合穴３２と、この係合穴３２に沿って形成された一条の保持溝３３が左右方向に複数形成されている。前記ステージ３１に形成された保持溝３３は、前方に凸に湾曲した一条のスリットとして形成されている。前記保持溝３３のスリット幅はシート状表示部材８５の厚み寸法よりも比較的大きく形成されている一方、スリットの対向する内壁には互い違いに噛み合う鋸歯状の突起（図示は省略したが、図７に示した鋸歯７２２に相当するものである）が点在して形成されている。また、保持溝３３の係合穴３２側の縁部には、図１０の（ｂ）に示すように、下方に延在する保持部３３１が形成されている。この保持片３３１の下端は前方に折り返してＵ字状に形成され、シート状表示部材８５の下端を保持するものである。シート状商品見本８５は可撓性の薄いプラスチックシートに商品の外観意匠を印刷した矩形平板状の透明若しくは半透明のシートからなるものである。このシート状商品見本８５の左右側縁の下端側には切欠８５１が設けられている。
【００６７】
なお、この実施の形態５に係る商品展示台１Ａには、実施の形態１で示した商品情報デジタルディスプレイ４に代えて商品情報表示板４Ａが装着されている。この商品情報表示板４Ａは横長帯状の透明な樹脂製になり、商品のコールド，ホット状態を表す冷温情報４１Ａおよび商品の価格情報４２Ａを表示する商品情報表示板４Ａが左右方向に複数表示されている。この商品情報表示板４Ａを保持するため、商品載置台３Ａには複数の開口３４１を有する前壁３４が設けられ、この前壁３４の下端を前方に折り返してＵ字状の支持溝３４３が形成されている。この保持溝３４３に前記商品情報表示板４Ａが装着される。前記商品情報表示板４Ａの複数の冷温情報４１Ａおよび価格情報４２Ａは、商品載置台３Ａに形成された左右方向に複数の係合穴３２および保持溝３３と一対一で対応している。また、図１０には商品選択ボタン装置９０を示しており、この商品選択ボタン装置９０の商品選択ボタン９１ｂも、商品載置台３Ａに形成された左右方向に複数の係合穴３２および保持溝３３と一対一で対応している。
【００６８】
さて、シート状商品見本８５は前記商品載置台３Ａの保持溝３３に次のように取り付けられる。すなわち、シート状商品見本８５の下端を保持溝３３に沿って湾曲させつつ当該保持溝３３に差し込む。この場合、保持溝３３のスリット幅はシート状表示部材８５の厚みよりも比較的大きく形成されているのでシート状表示部材８５の装着が容易である。シート状商品見本８５を保持溝３３に差し込んで下方にスライド移動させると、シート状商品見本８５の下端中央部が保持片３３１に嵌まり込む。これによりシート状表示部材８５が保持溝３３から下方に脱落するのが防止される。また、保持溝３３の対向する内壁には互い違いに噛み合う鋸歯状の突起（不図示）が形成されていることから、シート状表示部材８５は位置決めされ、かつ、前方に凸に湾曲した保持溝３３に倣って湾曲することから安定した起立姿勢に維持される。
【００６９】
なお、上記実施の形態５においては、保持溝３３が一条の連続した溝からなる形態について説明したが、例えば、保持溝３３が連続しておらずに細切れに分散されたものであってもよく、また、溝の代わりに複数の突起を並設して微小間隙を形成することもできる。したがって、一条の保持溝３３とはシート状商品見本８５を湾曲した状態で保持できるものを総称するものであり、前述した実施の形態によりこの発明が限定されるものではない。
【００７０】
前述したように本発明の実施の形態５に係る自動販売機によれば、商品展示室内に配設された左右方向に複数の商品見本８０を展示する商品展示台１Ａにシート状商品見本８５を装着する前方に凸に湾曲した保持溝３３を形成したことにより、保持溝３３に下端を保持されたシート状商品見本８５が保持溝３３の湾曲に倣って湾曲するので、その剛性を高めることができ、シート状商品見本８５を自立した起立姿勢に維持することができる。そして、立体状の商品見本８０を展示する商品展示台１Ａに追加部品を設けることなくシート状商品見本８５を展示することができるので、立体状の商品見本８０とシート状商品見本８５を一つの商品展示台１に混合して展示することもできる。
【符号の説明】
【００７１】
１，１Ａ…商品展示台、２…固定部材、３…商品載置台、４…商品情報デジタルディスプレイ、４Ａ…商品情報表示板、５，１００…取付金具、６，７…商品見本展示用アタッチメント、１０…本体キャビネット、２０…外扉、３０…内扉、３３，７２１…保持溝、４１…液晶表示部、４２…デジタル表示ユニット、４３…化粧枠、４４…カバー部材、５０…商品展示室、６０…中扉、８０…（立体状の）商品見本、７１…カバー部７１、７２…保持部７２、８１，８２，８３，８４，８５…シート状商品見本、１０１…上部フランジ、１０２…下部フランジ、３３１…保持片、４３３…係合穴、７２１…保持溝、７２２…鋸歯、８１１…係合片、８１２，８３１，８４１…切欠。
【図１】
2014115941.tif 000003
【図２】
2014115941.tif 000004
【図３】
2014115941.tif 000005
【図４】
2014115941.tif 000006
【図５】
2014115941.tif 000007
【図６】
2014115941.tif 000008
【図７】
2014115941.tif 000009
【図８】
2014115941.tif 000010
【図９】
2014115941.tif 000011
【図１０】
2014115941.tif 000012
【図１１】
2014115941.tif 000013